(57)【要約】      （修正有）【課題】下側に位置する敷布団やベッドの種類に関わらず、安定して枕を定位置に保つことができ、安眠に好適な敷寝具を提供する。【解決手段】電動ベット８１のマット上に載置される敷寝具Ｂは、上側シート５１と、下側シート５２と、上側・下側シート５１、５２を重ね合わせた積層体５０を連結する肩連結線５３、腰連結線５４、膝連結線５５、および踵連結線５６と、頭側の上側シート５１の端部下面と頭側の下側シート５２の端部上面とを、枕７１を挟んで開閉可能に係着するファスナーとを備える。敷寝具Ｂは、下側に位置する敷布団やベッドの種類に関わらず、安定して枕７１を定位置に保つことができ、安眠を阻害しない。  【選択図】図２
0003205018.tif 000002
【実用新案登録請求の範囲】
【請求項１】
略長方形の上側シートと、
この上側シートと略同一形状の下側シートと、
上側・下側シートを重ね合わせた積層体を分割する肩位置、腰位置、膝位置、および踵位置で、前記上側シートの下面と前記下側シートの上面とを、シート長手方向と直交する脇方向に連結する、肩連結線、腰連結線、膝連結線、および踵連結線と、
頭側の上側シートの端部下面と頭側の下側シートの端部上面とを、枕を挟んで開閉可能に係着する係着手段とを備えた敷寝具。
【請求項２】
頭側の上側・下側シートのそれぞれの端部に縁生地が縫着され、
前記係着手段は、これら縁生地に取り付けられる一対のエレメントからなるスライドファスナーであることを特徴とする請求項１に記載の敷寝具。
【請求項３】
頭側の上側・下側シートのそれぞれの端部に縁生地が縫着され、
前記係着手段は、これら縁生地に取り付けられるフックとループとからなる面ファスナーであることを特徴とする請求項１に記載の敷寝具。
【請求項４】
腰連結線−膝結線間の上側・下側シートの隙間に、調整用のシートを取り外し可能に差し込んだことを特徴とする請求項１乃至請求項３の何れか１項に記載の敷寝具。
【請求項５】
膝連結線−踵連結線間の上側・下側シートの隙間に、足枕を取り外し可能に差し込んだことを特徴とする請求項１乃至請求項３の何れか１項に記載の敷寝具。
【請求項６】
前記積層体の頭側の端部から前記腰連結線までの長さと、
前記腰連結線から前記膝連結線までの長さと、
前記膝連結線から前記踵連結線までの長さとを略同じにしたことを特徴とする請求項１乃至請求項５の何れか１項に記載の敷寝具。
【請求項７】
前記敷寝具を袋体で包囲したことを特徴とする請求項１乃至請求項６の何れか１項に記載の敷寝具。
【考案の詳細な説明】
【技術分野】
【０００１】
本考案は、ベッドのマットや敷布団の上に敷いて使用する敷寝具に関する。
【背景技術】
【０００２】
ベッドのマットや敷布団の上に敷いて使用する敷寝具の頭位置には、枕が置かれ、必要に応じて、足位置に足枕が置かれ、腰位置に固さ調整シートが置かれる。
【０００３】
従来の技術において、敷寝具と枕は別体であるので枕が動き易く、使用者が睡眠中に寝返りをしたり、就寝体位を変えると、枕が動いてしまう。
このため、使用者が暗闇の中で枕を探す羽目になり、就寝が妨げられるという課題がある。
【０００４】
上記課題を解決するための先行技術が存在する。
特許文献１には、寝具本体の開口部に、枕を収納する袋体を設置した敷寝具が開示されている。
特許文献２には、枕支持用布地を敷布団カバー本体に縫い付けた敷布団カバーが開示されている。
【先行技術文献】
【特許文献】
【０００５】
【特許文献１】実用新案登録第３０６３７５３号
【特許文献２】特開２０１５−３９３７５号公報
【考案の概要】
【考案が解決しようとする課題】
【０００６】
特許文献１において、傾斜度合いが変化する電動ベットのマットに寝具を敷いて使用すると、枕を収納した袋体が倒れてくる。
特許文献２において、枕を収納した枕支持用布地には、張力が掛かっているので寝心地が悪い。
【０００７】
本考案の目的は、下側に位置する敷布団やベッドの種類に関わらず、安定して枕を定位置に保つことができ、安眠に好適な敷寝具の提供にある。  
【課題を解決するための手段】
【０００８】
（請求項１について）
請求項１の敷寝具は、上側シートと、下側シートと、上側・下側シートを重ね合わせた積層体を分割する各位置で、脇方向に連結する肩連結線、腰連結線、膝連結線、および踵連結線と、頭側の上側シートの端部下面と下側シートの端部上面とを枕を挟んで開閉可能に係着する係着手段とを備える。
上側・下側シートは、略長方形で、略同一形状である。
積層体は、肩位置、腰位置、膝位置、および踵位置で分割されている。
【０００９】
請求項１の敷寝具は、下記の様に使用する。
係着手段による、上側・下側シートの端部下面と上面との係着を解除して、頭側の上側・下側シートを開き、シート間に枕を入れる。
そして、係着手段による係着を有効にして、頭側の上側・下側シートを閉じる。
これにより、頭側の上側・下側シート間に枕が固定される。
【００１０】
請求項１の敷寝具は、下記の利点を有する。
使用者が睡眠中に寝返りをしたり、就寝体位を変えても、枕が固定されて定位置を維持するので、安眠を阻害しない。
【００１１】
積層体を分割する肩位置、腰位置、膝位置、および踵位置で、上側シートの下面と下側シートの上面とを、肩連結線、腰連結線、膝連結線、および踵連結線で脇方向（短手方向）に連結している。なお、各連結線は、幅を有する連結帯も含む。
【００１２】
このため、電動ベットのマットに敷寝具を載置した際に、マットの傾斜度合いに応じて敷寝具が、肩位置、腰位置、膝位置で屈曲するので、電動ベット用の敷寝具として使用することもできる。
また、各位置で、敷寝具を折り畳むこともできる。
【００１３】
（請求項２について）
請求項２の敷寝具は、上側・下側シートのそれぞれの端部に縁生地が縫着されている。  そして、係着手段は、これら縁生地に取り付けられる一対のエレメントからなるスライドファスナーである。
【００１４】
このため、上側・下側シートのそれぞれの端部にスライドファスナーを強固に取り付けることができる。
係着手段がスライドファスナーなので、シート間に枕を入れたり、枕を出したりする作業を容易にできる。また、損傷無く、多数回数、繰り返して行うことができる。
【００１５】
（請求項３について）
請求項３の敷寝具は、上側・下側シートのそれぞれの端部に縁生地が縫着されている。  そして、係着手段は、これら縁生地に取り付けられるフックまたはループである。このため、上側・下側シートのそれぞれの端部に面ファスナーを強固に取り付けることができる。
【００１６】
係着手段が面ファスナーなので、シート間に枕を入れたり、枕を出したりする作業を容易にできる。また、損傷無く、多数回数、繰り返して行うことができる。
【００１７】
（請求項４について）
請求項４の敷寝具は、腰連結線−膝結線間の上側・下側シートの隙間に、調整用のシートを取り外し可能に差し込んでいる。
調整用のシートの硬さを調整したり、調整用のシートに防水性を付与することにより、敷寝具を好みの寝心地に設定したり、排泄物の浸透を防止したりすることができる。
【００１８】
（請求項５について）
請求項５の敷寝具は、膝連結線−踵連結線間の上側・下側シートの隙間に、足枕を取り外し可能に差し込んでいる。
膝連結線−踵連結線間に差し込んだ足枕により、就寝時における足の負担を低減することができる。
【００１９】
（請求項６について）
請求項６の敷寝具は、積層体の頭側の端部から腰連結線までの長さと、腰連結線から膝連結線までの長さと、膝連結線から踵連結線までの長さとを略同じにしている。このため、敷寝具を見栄え良く、三つ折りに畳むことができる。
【００２０】
（請求項７について）
敷寝具を袋体で包囲しているので、使い勝手が良く、見栄えも良い。
【図面の簡単な説明】
【００２１】
【図１】本考案の実施例１に係る敷寝具の説明図（平面図、側面図、前面図）である。
【図２】本考案の実施例２に係る敷寝具の説明図（平面図、側面図、前面図）である。
【図３】敷寝具Ｂを電動ベットに敷き、頭部部分が持ち上がる様に電動ベットを稼働させた状態を示す説明図である。
【図４】敷寝具Ｂを袋体で包囲した敷寝具を示す説明図である。
【考案を実施するための形態】
【実施例１】
【００２２】
本考案の実施例１に係る敷寝具Ａ（請求項１、２、４、５、６に対応）を、図１に基づいて説明する。
敷寝具Ａは、上側シート１１と、下側シート１２と、上側・下側シート１１、１２の下面と上面とを脇方向に連結する肩連結線１３、腰連結線１４、膝連結線１５、および踵連結線１６と、頭側の上側・下側シート１１、１２を開閉するスライドファスナー２と、この部分の上側・下側シート１１、１２間に閉じ込められる枕３１と備え、ベット４１の上に載置される。
【００２３】
上側シート１１は、本実施例では、縦１００ｃｍ、横２００ｃｍ、厚さ１ｃｍの長方形状で、柔らかく通気性を有する複合構造の可撓体である。  
【００２４】
下側シート１２は、本実施例では、縦１００ｃｍ、横２００ｃｍ、厚さ２ｃｍの長方形状で、可撓性を有する網状構造体（樹脂製）である。  
枕３１は、本実施例では、縦３０ｃｍ、横９３ｃｍ、厚さ６ｃｍの直方体形状の複合材である。
【００２５】
肩連結線１３は、上側・下側シート１１、１２を重ね合わせた積層体１０上で使用者が就寝姿勢を取った場合に肩が臨む肩位置の上側・下側シート１１、１２を加圧超音波加工により熱溶着した部位である。この熱溶着部位により、肩位置の上側シート１１の下面と下側シート１２の上面とが、シート長手方向と直交する脇方向に連結されている。
【００２６】
腰連結線１４は、上側・下側シート１１、１２を重ね合わせた積層体１０上で使用者が就寝姿勢を取った場合に腰が臨む肩位置の上側・下側シート１１、１２を加圧超音波加工により熱溶着した部位である。この熱溶着部位により、腰位置の上側シート１１の下面と下側シート１２の上面とが、シート長手方向と直交する脇方向に連結されている。
【００２７】
膝連結線１５は、上側・下側シート１１、１２を重ね合わせた積層体１０上で使用者が就寝姿勢を取った場合に膝が臨む膝位置の上側・下側シート１１、１２を加圧超音波加工により熱溶着した部位である。この熱溶着部位分により、膝位置の上側シート１１の下面と下側シート１２の上面とが、シート長手方向と直交する脇方向に連結されている。
【００２８】
踵連結線１６は、上側・下側シート１１、１２を重ね合わせた積層体１０上で使用者が就寝姿勢を取った場合に踵が臨む踵位置（積層体１０の端部）の上側・下側シート１１、１２を加圧超音波加工により熱溶着した部位である。この熱溶着部位により、踵位置の上側シート１１の下面と下側シート１２の上面とが、シート長手方向と直交する脇方向に連結されている。
【００２９】
なお、本実施例では、積層体１０の頭側端部から肩連結線１３迄の寸法が４０ｃｍ、肩連結線１３から腰連結線１４迄の寸法が３０ｃｍ、腰連結線１４から膝連結線１５迄の寸法が６５ｃｍ、膝連結線１５から踵連結線１６迄の寸法が６５ｃｍである。
【００３０】
つぎに、敷寝具Ａの製造方法を説明する。
表生地、裏生地、および横側の縁生地１７ａをミシン縫製加工等で一体化する。この一体化した積層生地の頭側端部に、頭側の縁生地１７ｂとともに、スライドファスナー２の樹脂エレメント（スライダー２０噛合の方）２１をヘム縫製により縫着して樹脂エレメント２１付の上側シート１１を製造する。
【００３１】
網状樹脂の頭側端部に、頭側の縁生地１８ａととともに、スライドファスナー２の樹脂エレメント（スライダー無の方）２２をヘム縫製により縫着して樹脂エレメント２２付の下側シート１２を製造する。
【００３２】
上側シート１１と下側シート１２とを重ね合わせた状態でスライドファスナー２を閉じ、使用者が就寝姿勢を取った場合に、肩が臨む肩位置、腰が臨む腰位置、膝が臨む膝位置、および踵が臨む踵位置を、加圧超音波加工により熱溶着させ脇方向に連結して積層体１０を製造する。なお、連結部分は、肩連結線１３、腰連結線１４、膝連結線１５、踵連結線１６である。また、踵側端部の踵連結線１６には、熱溶着後に、踵側の縁生地１７を縫着する。
【００３３】
スライダー２０を動かしてスライドファスナー２を開け、頭側端部から肩連結線１３に位置する上側・下側シート１１、１２間に枕３１を押し込む。
再び、スライダー２０を動かしてスライドファスナー２を閉じ、上側シート１１の下面と下側シート１２の上面との摩擦力で枕３１を閉じ込める。
【００３４】
なお、必要に応じ、硬さ調整用のシート３２や足枕３３を用いる。
膝連結線１５と腰連結線１４間に位置する上側シート１１の下面と下側シート１２の上面との間の隙間に、横方向から硬さ調整用のシート３２を押し込む。
【００３５】
踵連結線１６と膝連結線１５間の隙間に位置する上側シート１１の下面と下側シート１２の上面との間の隙間に、横方向から足枕３３を押し込む。
なお、硬さ調整用のシート３２や足枕３３は、上側シート１１の下面と下側シート１２の上面との摩擦力で閉じ込められる。
【００３６】
本考案の敷寝具Ａは、以下の利点を有する。
使用者が睡眠中に敷寝具Ａ上で寝返りをしたり、敷寝具Ａ上で就寝体位を変えても、頭側端部から肩連結線１３との間の、上側シート１１の下面と下側シート１２の上面との摩擦力で枕３１が固定され定位置を維持するので、安眠が阻害されない。
【００３７】
上側シート１１の下面と下側シート１２の上面とを、使用者が就寝姿勢を取った場合に、肩が臨む肩位置、腰が臨む腰位置、膝が臨む膝位置、踵が臨む踵位置で、熱溶着により脇方向に連結して積層体１０としている。
【００３８】
このため、ベット４１が電動ベットであっても、ベット４１の傾斜度合いに応じて、敷寝具Ａの積層体１０が、肩連結線１３、腰連結線１４、および膝連結線１５で屈曲するので、頭部部分が持ち上がる様に電動ベットを稼働させた状態でも、敷寝具Ａを使用者が違和感無く使用することができる。
【００３９】
膝連結線１５と腰連結線１４間の隙間に調整用のシート３２を差し込み、踵連結線１６と膝連結線１５間の隙間に足枕３３を差し込む場合は、敷寝具Ａに下記の利点が付加される。
硬さ調整用のシート３２の硬さを設定すれば、敷寝具Ａを好みの寝心地に調整することができる。また、足枕３３により、就寝時における足の負担を低減することができる。
【００４０】
なお、使用者が睡眠中に敷寝具Ａ上で寝返りをしたり、敷寝具Ａ上で就寝体位を変えても、上側シート１１の下面と下側シート１２の上面との摩擦力で、硬さ調整用のシート３２や足枕３３が固定され定位置を維持するので、安眠が阻害されない。
【００４１】
敷寝具Ａは、頭側端部に位置する上側・下側シート１１、１２を開閉する係着手段にスライドスライドファスナー２を採用している。このため、スライドファスナー２を開閉するだけで、頭側の上側・下側シート１１、１２間に枕３１を入れたり、枕３１を出したりする作業を簡単に行うことができる。また、多数回数、枕３１の出し入れを行ってもスライドスライドファスナー２が損傷し難い。
【００４２】
敷寝具Ａは、積層体１０の頭側の端部から腰連結線１４までの長さと、腰連結線１４から膝連結線１５までの長さと、膝連結線１５から踵連結線１６までの長さとを略同じにしている。このため、硬さ調整用のシート３２や足枕３３を取り出せば、敷寝具Ａを見栄え良く、三つ折りに畳むことができる。
【００４３】
本考案の実施例２に係る敷寝具Ｂ（請求項１、３、６に対応）を、図２〜図３に基づいて説明する。
敷寝具Ｂは、上側シート５１と、下側シート５２と、上側・下側シート５１、５２の下面と上面とを脇方向に連結する肩連結線５３、腰連結線５４、膝連結線５５、および踵連結線５６と、頭側端部に位置する上側・下側シート５１、５２を開閉する面ファスナー６と、この部分の上側・下側シート５１、５２間に閉じ込められる枕７１と備え、電動ベット８１のベット板８２に載置される。
【００４４】
上側シート５１は、本実施例では、縦１００ｃｍ、横２００ｃｍ、厚さ１ｃｍの長方形状で、柔らかく通気性を有する蜂の巣構造の可撓体である。  
【００４５】
下側シート５２は、本実施例では、縦１００ｃｍ、横２００ｃｍ、厚さ１. ５ｃｍの長方形状で、可撓性を有する網状構造体（樹脂製）である。  
枕７１は、本実施例では、縦３０ｃｍ、横９３ｃｍ、厚さ６ｃｍの直方体形状の複合材である。
【００４６】
肩連結線５３は、上側・下側シート５１、５２を重ね合わせた積層体５０上で使用者が就寝姿勢を取った場合に肩が臨む肩位置の上側・下側シート５１、５２を加圧超音波加工により熱溶着した部位である。この熱溶着部位により、肩位置の上側シート５１の下面と下側シート５２の上面とが、シート長手方向と直交する脇方向に連結されている。
【００４７】
腰連結線５４は、上側・下側シート５１、５２を重ね合わせた積層体５０上で使用者が就寝姿勢を取った場合に腰が臨む肩位置の上側・下側シート５１、５２を加圧超音波加工により熱溶着した部位である。この熱溶着部位により、腰位置の上側シート５１の下面と下側シート５２の上面とが、シート長手方向と直交する脇方向に連結されている。
【００４８】
膝連結線５５は、上側・下側シート５１、５２を重ね合わせた積層体５０上で使用者が就寝姿勢を取った場合に膝が臨む膝位置の上側・下側シート５１、５２を加圧超音波加工により熱溶着した部位である。この熱溶着部位により、膝位置の上側シート５１の下面と下側シート５２の上面とが、シート長手方向と直交する脇方向に連結されている。
【００４９】
踵連結線５６は、上側・下側シート５１、５２を重ね合わせた積層体５０上で使用者が就寝姿勢を取った場合に踵が臨む踵位置（積層体５０の端部）の上側・下側シート５１、５２を加圧超音波加工により熱溶着した部位である。この熱溶着部位により、踵位置の上側シート５１の下面と下側シート５２の上面とが、シート長手方向と直交する脇方向に連結されている。
【００５０】
なお、本実施例では、積層体５０の頭側端部から肩連結線５３迄の寸法が４０ｃｍ、肩連結線５３から腰連結線５４迄の寸法が２８ｃｍ、腰連結線５４から膝連結線５５迄の寸法が６７ｃｍ、膝連結線５５から踵連結線５６迄の寸法が６５ｃｍである。
【００５１】
つぎに、敷寝具Ｂの製造方法を説明する。
編目が六角形の表生地および裏生地と、横側の縁生地５７ａとをミシン縫製加工等で一体化する。この一体化した積層生地の頭側端部に、頭側の縁生地５７ｂとともに、面ファスナー６の一方側ファスナー６１をヘム縫製により縫着して一方側ファスナー６１付の上側シート５１を製造する。
【００５２】
網状体の頭側端部に、頭側の縁生地５８ａとともに、面ファスナー６の他方側ファスナー６２をヘム縫製により縫着して他方側ファスナー６２付の下側シート５２を製造する。  なお、面ファスナー６は、フック状面の一方側ファスナー６１と、ループ状面の他方側ファスナー６２である。
【００５３】
上側シート５１と下側シート５２とを重ね合わせた状態で、一方側ファスナー６１と他方側ファスナー６２とを付き合わせて面ファスナー６を閉じ、使用者が就寝姿勢を取った場合に、肩が臨む肩位置、腰が臨む腰位置、膝が臨む膝位置、および踵が臨む踵側端部を、加圧超音波加工により熱溶着させ脇方向に連結して積層体５０を製造する。なお、連結部分は、肩連結線５３、腰連結線５４、膝連結線５５、踵連結線５６である。また、踵側端部の踵連結線５６には、熱溶着後に、踵側の縁生地５７を縫着する。
【００５４】
一方側ファスナー６１と他方側ファスナー６２とを引き剥がして面ファスナー６を開け、頭側端部に位置する上側・下側シート５１、５２間に枕７１を入れる。再び、一方側ファスナー６１と他方側ファスナー６２とを付き合わせて面ファスナー６を閉じ、上側シート５１の下面と下側シート５２の上面との摩擦力で枕７１を閉じ込める。
【００５５】
本考案の敷寝具Ｂは、以下の利点を有する。
使用者が睡眠中に敷寝具Ｂ上で寝返りをしたり、敷寝具Ｂ上で就寝体位を変えても、頭側端部から肩連結線５３との間の、上側シート５１の下面と下側シート５２の上面との摩擦力で枕７１が固定されて定位置を維持するので、安眠が阻害されない。
【００５６】
上側シート５１の下面と下側シート５２の上面とを、使用者が就寝姿勢を取った場合に、肩が臨む肩位置、腰が臨む腰位置、膝が臨む膝位置、踵が臨む踵位置で、熱溶着により脇方向に連結して積層体５０としている。
【００５７】
このため、電動ベット８１のマットの傾斜度合いに応じて敷寝具Ｂの積層体５０が、肩連結線５３、腰連結線５４、膝連結線５５で屈曲するので、図３に示す様に、頭部部分が持ち上がる様に電動ベット８１のベット板８２を稼働させて状態でも、敷寝具Ｂを使用者が違和感無く使用することができる。
【００５８】
敷寝具Ｂは、頭側端部に位置する上側・下側シート５１、５２を開閉する係着手段に面ファスナー６を採用している。このため、面ファスナー６を開閉操作するだけで、頭側の上側・下側シート５１、５２間に枕７１を入れたり、枕７１を出したりする作業を簡単に行うことがきる。また、多数回数、枕７１の出し入れを行っても面ファスナー６が損傷し難い。
【００５９】
敷寝具Ｂは、積層体５０の頭側の端部から腰連結線５４までの長さと、腰連結線５４から膝連結線５５までの長さと、膝連結線５５から踵連結線５６までの長さとを略同じにしている。このため、敷寝具Ｂを見栄え良く、三つ折りに畳むことができる。
【００６０】
（変形例）
ａ．図４に示す様に、実施例２の敷寝具Ｂの全体を袋体９で包囲しても良い（請求項７に対応）。この敷寝具は、袋体９で敷寝具Ｂを包囲しているので、使い勝手が良く、見栄えも良い。
【００６１】
ｂ．上側シートおよび下側シートは、下記の素材を用いても良い。
指定外繊維（ポリエステル・ポリエーテル・ポリプロピレンの構造体）、ポリエステル固綿、ポリエステル粒綿、ウレタンフォーム、キルトシート、ソニックキルトシート。
枕は、下記の素材を用いても良い。
ポリエステル粒綿、指定外繊維、羽毛、糸状繊維、ウレタンフォーム
【００６２】
ｃ．各連結線における上側シートと下側シートとの連結、スライドファスナーの取り付け、面ファスナーの取り付け、シート端部への縁生地の縫着は、加圧超音波加工以外に、ミシン縫製加工、高周波ウェルダーによる熱処理加工などでも良い。
【００６３】
ｄ．腰連結線−膝結線間の上側・下側シートの隙間に、取り外し可能に差し込む調整用のシートは、腰枕、クッション、タオル等であっても良く、上側・下側シート間の摩擦により、位置ずれが起き難い。
【００６４】
ｅ．頭側の上側シートの端部下面と頭側の下側シートの端部上面とを、枕を挟んで開閉可能に係着する係着手段は、スライダーを有するスライドファスナーや、フック状面とループ状面とを突き合わせて貼着する面ファスナー以外に、釦とホックでも良い。
【００６５】
ｆ．積層体の頭側端部から肩連結線迄の寸法が、肩連結線から腰連結線迄の寸法、腰連結線から膝連結線迄の寸法、膝連結線から踵連結線迄の寸法は、任意に増減可能である。
【００６６】
ｇ．上側・下側シートの大きさは、下記の範囲で、任意に変更可能である。
シングル
９５ｃｍ×（２００ｃｍ〜２１０ｃｍ）×３ｍｍ〜２３ｍｍ
１００ｃｍ×（２００ｃｍ〜２１０ｃｍ）×３ｍｍ〜２３ｍｍ
セミダブル
１２０ｃｍ×（２００ｃｍ〜２１０ｃｍ）×３ｍｍ〜２３ｍｍ
１２５ｃｍ×（２００ｃｍ〜２１０ｃｍ）×３ｍｍ〜２３ｍｍ
ダブル
１４０ｃｍ×（２００ｃｍ〜２１０ｃｍ）×３ｍｍ〜２３ｍｍ
１５５ｃｍ×（１９０ｃｍ〜２１０ｃｍ）×３ｍｍ〜２３ｍｍ
【００６７】
ｈ．枕の大きさは、下記の範囲で、任意に変更可能である
主流……縦４３ｃｍ×横６３ｃｍ×高さ５ｃｍ〜１５ｃｍ
縦３５ｃｍ×横５５ｃｍ×高さ５ｃｍ〜１５ｃｍ
縦５０ｃｍ×横７０ｃｍ×高さ５ｃｍ〜１５ｃｍ
縦４３ｃｍ×横１２０ｃｍ×高さ５ｃｍ〜１５ｃｍ
【符号の説明】
【００６８】
Ａ、Ｂ  敷寝具
２  スライドファスナー（係着手段）
６  面ファスナー（係着手段）
１０、５０  積層体
１１、５１  上側シート
１３、５３  肩連結線
１４、５４  膝連結線
１７、５６  踵連結線
１７ｂ、１８ａ  縁生地
５７ｂ、５８ａ  縁生地
３１、７１  枕  
３２  調整用のシート
３３  足枕
【図１】
0003205018.tif 000003
【図２】
0003205018.tif 000004
【図３】
0003205018.tif 000005
【図４】
0003205018.tif 000006